(57)【特許請求の範囲】
【請求項１】
スイッチ部が設けられたプリント基板上に積載され、全体が透光性を有する弾性材によってシート状に形成されたラバーシートであって、弾性変形可能な第１の支承部を介して柱状に形成され押圧することにより前記スイッチ部をオンする押圧体が一体に形成されたラバーシートにおいて、
このラバーシート上に一体に立設され発光部を囲む筒状の囲い壁と、この囲い壁の上端に前記押圧体の押圧方向に変形可能な第２の支承部を介して設けられ柱状に形成された透光体とを一体に形成したことを特徴とするラバーシート。
【発明の詳細な説明】
【技術分野】
【０００１】
本発明は、各種電子機器のキートップのスイッチをオン・オフさせる押圧体が一体に形成されているとともに、発光部からの光を電子機器の外から視認させる透光体を備えた透光性を有するラバーシートに関するものである。
【背景技術】
【０００２】
従来のラバーシートは、プリント基板上に実装された発光素子を覆い、発光素子から発光された光を筺体の外部に導くための透光体をラバーシートに一体に立設し、この透光体を照光パネルケースに設けた窓に臨ませたものがある（例えば、特許文献１参照）。
【特許文献１】特開昭６３−１０２１２２号公報（２頁左上欄１０行〜右上欄１９行、第３図）
【発明の開示】
【発明が解決しようとする課題】
【０００３】
例えば、家庭や事務所等の屋内で使用される固定電話機においては、ハンドセットと電話機本体との間にカールコードが必要なカールコード付き電話機と、ハンドセットと電話機本体との間を無線を介して通信を行うコードレス型電話機とがある。このうち、コードレス型電話機においては、ハンドセットに内蔵された蓄電池の充電状態を表示する必要がある。このため電話機の筺体に小孔が設けられており、この小孔から電話機の内部に設けられたプリント基板上に実装された発光素子を発光させ、この光で充電状態を表示させるような構造を採っている。一方、カールコード付き電話機においては、ハンドセットの充電状態を表示する必要がないから、電話機の筺体にこれを表示するための小孔は設けられていない。したがって、このカールコード付き電話機に、上述した従来のラバーシートをそのまま使用すると、ラバーシートに設けた透光体が電話機の筐体に当たり筐体によって押圧される。このため、透光体が破損したり、ラバーシートが部分的に弾性変形することにより、隣接して設けられたスイッチの動作不良が発生するおそれがある。したがって、カールコード付き電話機用として透光体を設けていない専用のラバーシートが別に必要になるため、２種類のラバーシートを用意しなければならなくなり製造コストが嵩むという問題があった。
【０００４】
本発明は上記した従来の問題に鑑みなされたものであり、その目的とするところは、１種類のラバーシートによって発光部の表示が必要な電子機器と、発光部の表示を必要としない電子機器とに使用できるようにすることによって製造コストの低減を図ったところにある。
【課題を解決するための手段】
【０００５】
この目的を達成するために、請求項１に係る発明は、スイッチ部が設けられたプリント基板上に積載され、全体が透光性を有する弾性材によってシート状に形成されたラバーシートであって、弾性変形可能な第１の支承部を介して柱状に形成され押圧することにより前記スイッチ部をオンする押圧体が一体に形成されたラバーシートにおいて、このラバーシート上に一体に立設され発光部を囲む筒状の囲い壁と、この囲い壁の上端に前記押圧体の押圧方向に変形可能な第２の支承部を介して設けられ柱状に形成された透光体とを一体に形成したものである。
【発明の効果】
【０００６】
本発明に係るラバーシートを発光部をもたない電子機器に使用して、筐体によって透光体が押圧されても、第２の支承部が弾性変形するため透光体が破損するようなことはない。また、透光体を押圧する押圧力が第２の支承部の弾性変形によって吸収されるため、ラバーシートに部分的な弾性変形が発生するようなことがないからスイッチの動作不良が発生するようなこともない。したがって、１種類のラバーシートを２種類の電子機器に使用することができるから、製造コストを低減することができる。
【発明を実施するための最良の形態】
【０００７】
以下、本発明の実施の形態を図に基づいて説明する。図１は本発明に係るラバーシートを使用したコードレス型電話機の平面図、図２は同じく一部を破断して示す側面図、図３は同じくラバーシートの平面図、図４は同じく実装された状態の要部を示す断面図、図５は本発明に係るラバーシートを使用したカールコード付き電話機の平面図、図６は同じく実装された状態の要部を示す断面図である。
【０００８】
図１および図２に全体を符号１で示すものはコードレス型電話機であって、上方が開口したロアーケース２と下方が開口したアッパーケース３とを、互いの開口端を対接させるようにして結合することによって筺体が形成される。５は図示を省略したハンドセットと電話機本体との間で無線を介して通信を行う際に機能するアンテナであって、基端部が軸５ａを介してロアーケース２の側部に回動自在に取り付けられている。
【０００９】
図１において、７はアッパーケース３の上面板３ａに設けられたハンドセット載置部であって、受話用凹部７ａと送話用凹部７ｂとが設けられている。８は送話用凹部７ｂに設けられた送話部受けであって、ハンドセット載置部７に載置されたハンドセットの送話部が送話用凹部７ｂから脱落しないように係止する。この送話部受け８には、この送話部受け８に係止されるハンドセットの送話部に設けた端子部（いずれも図示せず）が接触する一対の充電端子９，９が設けられている。
【００１０】
１０はアッパーケース３に倒伏自在に設けられた表示体であって、発信されたダイヤル番号や通話時間等が表示される。１１はアッパーケース３の上面板３ａに設けられた孔１５に摺動自在に支持された複数のダイヤルボタンであって、図４に示すように下端縁に孔１５の下端縁に係合する鍔１１ａが設けられている。１２は一端部に透孔性を有する導光部１２ａが設けられた多数の第１の機能ボタンであって、アッパーケース３の上面板３ａに設けられた孔（図示せず）に摺動自在に支持されている。１３は遮光部のみによって形成された４つの第２の機能ボタンであって、アッパーケース３の上面板３ａに設けられた孔（図示せず）に出没自在に支持されている。１４は十字型キースイッチであって、アッパーケース３の上面板３ａに設けられた孔（図示せず）からわずかに突出し揺動自在に設けられている。
【００１１】
１６はアッパーケース３の上面板３ａに設けられた充電表示用孔であって、後述するラバーシート２５の透光体３９が臨んでいる。この充電表示用孔１６の裏面側には、図４に示すように、ラバーシート２５の透光体３９の揺動を規制する円筒状に形成された規制部１６ａが下方に突設されている。１７はラバーシート２５の後述する囲い壁３７を囲むようにアッパーケース３の上面板３ａの裏面から下方に突設され円筒状に形成された遮光部であって、後述する発光素子２２から発光された光の漏洩を阻止するためのものである。
【００１２】
図４において、２０はロアーケース２に取り付けられたプリント基板であって、その表面にはダイヤルボタン１１を押下することによってオンするスイッチ部２１が印刷配線されている。２２は充電表示用孔１６と対応する位置であってプリント基板２０上に実装された発光素子であって、ハンドセット載置部７に載置されたハンドセットに内蔵された蓄電池（いずれも図示せず）の充電状態を表示する。
【００１３】
図３および図４において、２５は全体が透孔性を有するシリコンゴムのような弾性材によってシート状に形成されたラバーシートであって、プリント基板２０上に載置されている。２６は円柱状に形成された押圧体であって、ラバーシート２５上に弾性変形可能な薄肉でスカート状に形成された第１の支承部２７を介して一体に立設されている。この押圧体２６の下面には導電部２８が形成されており、ダイヤルボタン１１を矢印Ａ方向に押圧することによって、第１の支承部２７が弾性変形し、導電部２８がスイッチ部２１に接触することによりスイッチ部２１が接続される。
【００１４】
図３において、２９は上記した第１の機能ボタン１２に対応して設けられた円柱状に形成された押圧体であって、ラバーシート２５上に弾性変形可能な薄肉でスカート状に形成された支承部３０を介して一体に立設されている。３１は第１の機能ボタン１２の導光部１２ａに対応してラバーシート２５に穿設された窓であって、この窓３１に対応させてプリント基板２０上に発光素子（図示せず）が実装されている。
【００１５】
３２は上記した第２の機能ボタン１３に対応して設けられた楕円柱状に形成された押圧体であって、ラバーシート２５上に弾性変形可能な薄肉でスカート状に形成された支承部３３を介して一体に立設されている。３４は上記した十字型キースイッチ１４に対応してラバーシート２５上に一体に立設され角筒状に形成された５個の支承部であって、この支承部３４の上端に弾性変形可能な薄肉状に形成された支承部３５を介して押圧体３６が一体に立設されている。
【００１６】
図４において、３７は円筒状に形成された囲い壁であって、上記したプリント基板２０上に実装された発光素子２２を囲むようにラバーシート２５上に一体に立設されている。この囲い壁３７の上端には、弾性変形可能な薄肉でスカート状に形成された第２の支承部３８を介して円柱状に形成された透光体３９が一体に立設されている。この透光体３９はアッパーケース３の充電表示用孔１６内に臨んでおり、発光素子２２から発光された光はこの透光体３９を通して充電表示用孔１６の外部から視認できる。
【００１７】
この透光体３９を矢印Ａ方向から押圧することによって、第２の支承部３８を弾性変形させ透光体３９が矢印Ａ方向に変位するように形成されている。この透光体３９の矢印Ａ方向への変位に際しては、充電表示用孔１６の裏面側に設けた規制部１６ａによって、透光体３９が矢印Ａ方向へ確実に変位する。このため、故意に充電表示用孔１６からピン等を挿入して透光体３９を下方に押圧したとしても、透光体３９が充電表示用孔１６から外れて充電表示用孔１６の裏面側に引っ掛かるようなことがない。したがって、仮に透光体３９をピン等で押圧したとしても、押圧を解除することによって、透光体３９が充電表示用孔１６内に臨むように復旧する。
【００１８】
次に、図５および図６を用いて、このような構造のラバシート２５を充電表示用孔１６を必要としないカールコード付き電話機に適用する場合について説明する。図５に全体を符号５１で示すカールコード付き電話機は、ハンドセット載置部７に載置されるハンドセット５２と電話機本体との間がカールコードによって接続されている。このカールコード付き電話機５１ではハンドセット５２側を充電する必要がないため、アッパーケース３の上面部３ａに充電表示用孔１６が設けられていない。
【００１９】
このような構成において、充電表示用孔１６が設けられていないアッパーケース３をロアーケース２に結合すると、図６に示すように、アッパーケース３の上面部３ａの裏面が透光体３９に当たり、透光体３９を矢印Ａ方向に押圧する。上述したように、透光体３９を矢印Ａ方向から押圧することによって、透光体３９が矢印Ａ方向に変位するように第２の支承部３８が弾性変形する。したがって、アッパーケース３の上面部３ａの裏面によって、透光体３９が矢印Ａ方向に押圧されたとしても、この押圧力が第２の支承部３８の弾性変形によって吸収される。このため、透光体３９が破損したり、透光体３９の周辺部が部分的に弾性変形してプリント基板２０上から浮き上がるようなことがないから、透光体３９の近傍に設けられた押圧体２６，３２によるスイッチの動作不良を防止することができる。
【００２０】
このように、コードレス型電話機１に使用するラバーシート２５をカールコードレス付き電話機５１にも使用することができるため、２種類のラバーシート２５を必要としないため製造コストを低減することができる。
【００２１】
図７は透光体３９を支承する第２の支承部３８の変形例を示す要部の平面図である。同図に示すように、この変形例においては、第２の支承部３８を透光体３９の円周方向全体にわたってスカート状に設けたものではなく、４個の第２の支承部３８を円周方向に等角度おいて設けたものである。この場合は必ずしも第２の支承部３８を薄肉状に形成する必要はなく、要は透光体３９を矢印Ａ方向に押圧することにより、透光体３９が矢印Ａ方向に変位するように第２の支承部３８が弾性変形する厚みとすればよい。また、第２の支承部３８は必ずしも４個である必要はなく２個以上であればよい。
【００２２】
なお、本実施の形態においては、本発明に係るラバーシートを電話機に使用した例を説明したが、パソコン等他の電子機器にも使用できる。
【図面の簡単な説明】
【００２３】
【図１】本発明に係るラバーシートを使用したコードレス型電話機の平面図である。
【図２】本発明に係るラバーシートを使用したコードレス型電話機の一部を破断して示す側面図である。
【図３】本発明に係るラバーシートの平面図である。
【図４】本発明に係るラバーシートがコードレス型電話機に実装された状態の要部を示す断面図である。
【図５】本発明に係るラバーシートを使用したカールコード付き電話機の平面図である。
【図６】本発明に係るラバーシートがカールコード付き電話機に実装された状態の要部を示す断面図である。
【図７】本発明に係るラバーシートにおいて、第２の支承部の変形例を示す要部の平面図である。
【符号の説明】
【００２４】
１…コードレス型電話機、２…ロアーケース、３…アッパーケース、１１…ダイヤルボタン、１６…充電表示用孔、１６ａ…規制部、２０…プリント基板、２１…スイッチ部、２２…発光素子、２５…ラバーシート、２６…押圧体、２７…第１の支承部、２８…導電部、３７…囲い壁、３８…第２の支承部、３９…透光体、５１…カールコード付き電話機。
【図１】
0004438725.tif 000002
【図２】
0004438725.tif 000003
【図３】
0004438725.tif 000004
【図４】
0004438725.tif 000005
【図５】
0004438725.tif 000006
【図６】
0004438725.tif 000007
【図７】
0004438725.tif 000008